(57)【要約】【課題】ユーザに最良のヒューマンコンピュータインタラクションを体験させることができる電子装置及びこの電子装置におけるフォルダを開く方法を提供すること。【解決手段】本発明に係る電子装置は、入出力ポート及び前記入出力ポートに接続される記憶装置を備える。電子装置は、入出力ポートの近くに設けられた指令受信部品をさらに備え、指令受信部品がユーザにより入力された予定定義指令を受信した場合、電子装置は記憶装置に関連するフォルダを開く。また、電子装置は、本体部及び前記本体部に回転可能に連接された表示部をさらに備え、本体部は、上面及び前記上面に対して垂直に設置された側面を備え、入出力ポートは、本体部の側面に設けられている。【選択図】図１
2014182833.tif 000002
【特許請求の範囲】
【請求項１】
入出力ポート及び前記入出力ポートに接続される記憶装置を備える電子装置であって、
前記電子装置は、前記入出力ポートの近くに設けられた指令受信部品をさらに備え、前記指令受信部品がユーザにより入力された予定定義指令を受信した場合、前記電子装置は前記記憶装置に関連するフォルダを開くことを特徴とする電子装置。
【請求項２】
前記電子装置は、本体部及び前記本体部に回転可能に連接された表示部をさらに備え、前記本体部は、上面及び前記上面に対して垂直に設置された側面を備え、前記入出力ポートは、前記本体部の側面に設けられていることを特徴とする請求項１に記載の電子装置。
【請求項３】
前記指令受信部品は、前記本体部の上面における前記入出力ポートに対応する箇所に設けられていることを特徴とする請求項２に記載の電子装置。
【請求項４】
前記指令受信部品は、前記本体部の側面における前記入出力ポートに隣設していることを特徴とする請求項２に記載の電子装置。
【請求項５】
前記指令受信部品は、タッチ感知面を備え、前記予定定義指令は、ユーザが前記タッチ感知面において入力した予定定義タッチ指令であることを特徴とする請求項３又は請求項４に記載の電子装置。
【請求項６】
前記予定定義タッチ指令は、ダブルクリック又はスライドジェスチャーに設定されていることを特徴とする請求項４に記載の電子装置。
【請求項７】
記憶装置を電子装置の入出力ポートに接続するステップと、
ユーザが、前記入出力ポートの近くに設けられた指令受信部品に対して、指令を入力するステップと、
ユーザが入力した前記指令が、ある予定定義指令にマッチングしているかどうかを判断するステップと、
ユーザが入力した前記指令が前記予定定義指令にマッチングしている場合、前記電子装置が前記記憶装置に関連するフォルダを開くステップと、
を備えることを特徴とする電子装置におけるフォルダを開く方法。
【請求項８】
前記指令受信部品は、タッチ感知面を備え、ユーザが前記タッチ感知面において入力したタッチ指令が、ある予定定義タッチ指令にマッチングしている場合、前記電子装置は前記記憶装置に関連するフォルダを開くことを特徴とする請求項７に記載の電子装置におけるフォルダを開く方法。
【発明の詳細な説明】
【技術分野】
【０００１】
本発明は、電子装置及びこの電子装置におけるフォルダを開く方法に関するものである。
【背景技術】
【０００２】
ユーザは、携帯式記憶装置（例えば、Ｕディスク）をノート型パソコンに接続した後、何度もクリック操作を行って、前記携帯式記憶装置に関連するフォルダを開く。具体的には、ユーザは、先ず「開始」メニューをクリックして、次に「マイコンピュータ」をクリックした後、前記携帯式記憶装置に関連するフォルダをクリックして開く。しかし、ユーザにとって、このような操作を繰り返すことは、煩雑で、時間の浪費である。従って、如何にノート型パソコンにおいて、携帯式記憶装置に関連するフォルダを素早く開くかが、現在の技術者の課題である。
【発明の概要】
【発明が解決しようとする課題】
【０００３】
本発明は上記の問題点を考慮した上で、ユーザに最良のヒューマンコンピュータインタラクションを体験させることができる電子装置及びこの電子装置におけるフォルダを開く方法を提供することを目的とする。
【課題を解決するための手段】
【０００４】
上記の課題を解決するために、本発明に係る電子装置は、入出力ポート及び前記入出力ポートに接続される記憶装置を備える。前記電子装置は、前記入出力ポートの近くに設けられた指令受信部品をさらに備え、前記指令受信部品が、ユーザにより入力された予定定義指令を受信した場合、前記電子装置は前記記憶装置に関連するフォルダを開く。
【０００５】
また、上記の課題を解決するために、本発明に係る電子装置におけるフォルダを開く方法は、記憶装置を電子装置の入出力ポートに接続するステップと、ユーザが、前記入出力ポートの近くに設けられた指令受信部品に対して指令を入力するステップと、ユーザが入力した前記指令が、ある予定定義指令にマッチングしているかどうかを判断するステップと、ユーザが入力した前記指令が前記予定定義指令にマッチングしている場合、前記電子装置は前記記憶装置に関連するフォルダを開くステップと、を備える。
【発明の効果】
【０００６】
従来の技術と異なり、本発明の電子装置におけるフォルダを開く方法は、ユーザが指令受信部品を介して、記憶装置に関連するフォルダを素早く開くことができるため、操作が容易である。また、指令受信部品が記憶装置と接続する入出力ポートの近くに設けられているため、ユーザは、指令受信部品の位置を特定することができ、指令受信部品を探す必要はない。従って、ヒューマンコンピュータインタラクション体験が大きく改善される。
【図面の簡単な説明】
【０００７】
【図１】本発明の第一実施形態に係る電子装置の斜視図である。
【図２】図１に示した記憶装置が電子装置の入出力ポートに接続された状態の局部の平面図である。
【図３】本発明の第二実施形態に係る電子装置の斜視図である。
【図４】本発明に係る電子装置に応用されるフォルダを開く方法のフローチャートである。
【発明を実施するための形態】
【０００８】
本発明に係る電子装置１０は、ノート型パソコンであるが、マルチメディアプレイヤー、テレビ、ゲーム機等の他のタイプの電子装置であってもよい。
【０００９】
図１及び図２に示すように、本発明の第一実施形態に係る電子装置１０は、表示部２０及び本体部３０を備える。表示部２０は、ヒンジ等の連接部品を介して本体部３０に回転可能に連接されて、本体部３０に対して開く及び閉じるという２つの動作を行うことができる。また、表示部２０はディスプレイを備え、該ディスプレイは、可視化されたユーザインタフェースを提供することに用いられる。
【００１０】
本体部３０には、電子装置１０の主体部として、マザーボード、中央演算処理装置（ＣＰＵ）、ランダムアクセスメモリ（ＲＡＭ）、読み出し専用メモリ（ＲＯＭ）、拡張カード等の電子部品が収容或いは集積されている。また、本体部３０は、上面３１及び上面３１に対して垂直に設置された側面３２を備える。
【００１１】
上面３１には、キーボード３３及びタッチパッド３４が装着されている。タッチパッド３４は、上面３１におけるユーザに近い側（図１において上面３１の前側）に設けられ、マルチタッチ機能をサポートしている。側面３２には、入出力ポート（Ｉ／Ｏ  Ｐｏｒｔ）３５が設けられている。記憶装置５０は、入出力ポート３５内に挿入されて電子装置１０にアクセスされる。記憶装置５０は、プラグ・アンド・プレイ型の記憶装置である。図１に示した入出力ポート３５は、ＵＳＢコネクタが接続される接続ポートである。また、変形例として、入出力ポート３５は、ｅＳＡＴＡポート、１３９４ポート及びＬｉｇｈｔｎｉｎｇポート等の他のタイプの接続ポートであってもよい。また、記憶装置５０も入出力ポート３５にマッチングする他のタイプの記憶装置であってもよい。
【００１２】
本体部３０は、上面３１における入出力ポート３５に対応する箇所に設けられている指令受信部品３６をさらに備える。指令受信部品３６がユーザにより入力された予定定義指令（Ｐｒｅｄｅｆｉｎｅｄ  ｉｎｓｔｒｕｃｔｉｏｎ）を受信すると、電子装置１０は、記憶装置５０に関連するフォルダを開く。指令受信部品３６は、ユーザが入力したタッチ指令を受信するためのタッチ感知面を備える。指令受信部品３６が受信したタッチ指令が、ある予定定義タッチ指令にマッチングしている場合、電子装置１０は記憶装置５０に関連するフォルダを開く。ユーザの誤操作を避けるために、前記予定定義タッチ指令は、ダブルクリック又は複雑なタッチジェスチャーに設定する。タッチジェスチャーの例としては、例えば、環状又は「Ｖ」字状のスライドジェスチャー等が挙げられる。
【００１３】
図３に示すように、本発明の第二実施形態に係る電子装置１０と第一実施形態に係る電子装置１０との異なる点は、第二実施形態に係る電子装置１０の指令受信部品３６が、本体部３０の側面３２における入出力ポート３５に隣設されている点である。
【００１４】
また、本発明の他の実施形態において、指令受信部品３６は、押しボタンであってもよい。ユーザが前記押しボタンを押圧すると、指令受信部品３６は、ユーザにより入力された予定定義指令を受信したと判断する。
【００１５】
図４に示すように、本発明に係る電子装置に応用されるフォルダを開く方法は、以下のステップＳ４０１〜Ｓ４０４を備える。
【００１６】
ステップＳ４０１において、記憶装置５０を電子装置１０の入出力ポート３５に接続する。
【００１７】
ステップＳ４０２において、入出力ポート３５の近くに設けられた指令受信部品３６が、ユーザからのタッチ指令を受信する。
【００１８】
ステップＳ４０３において、前記タッチ指令が、ある予定定義タッチ指令にマッチングしているかどうかを判断する。マッチングしている場合、以下のステップＳ４０４を実行する。マッチングしていない場合、上記のステップＳ４０２に戻る。
【００１９】
ステップＳ４０４において、電子装置１０は、記憶装置５０に関連するフォルダを開く。
【符号の説明】
【００２０】
１０  電子装置
２０  表示部
３０  本体部
３１  上面
３２  側面
３３  キーボード
３４  タッチパッド
３５  入出力ポート
３６  指令受信部品
５０  記憶装置
【図１】
2014182833.tif 000003
【図２】
2014182833.tif 000004
【図３】
2014182833.tif 000005
【図４】
2014182833.tif 000006